(57)【要約】      （修正有）【課題】より操作性を向上させられるガイドワイヤ導入補助具を提供する。【解決手段】カテーテル挿入腔１０、ガイドワイヤ挿入腔２０及び連結腔３０が第１方向ＬＤに延びて形成されたガイドワイヤ導入補助具１であって、第１本体部４１と、第２本体部５１と、第１本体部４１及び第２本体部５１の一方の側部同士を開閉可能に連結する連結部６０と、第１本体部４１の他方の側部から延出する第１操作部４３と、第２本体部の他方の側部から延出する第２操作部５３と、を有し、カテーテル挿入腔１０、ガイドワイヤ挿入腔２０及び連結腔３０は、第１カテーテル挿入溝４１１及び第２カテーテル挿入溝５１１、第１ガイドワイヤ挿入溝４１２及び第２ガイドワイヤ挿入溝５１２、並びに第１連結溝４１３及び第２連結溝５１３により形成される。【選択図】図３
2016106813.tif 000002
【特許請求の範囲】
【請求項１】
カテーテルが挿入されるカテーテル挿入腔、ガイドワイヤが挿入されるガイドワイヤ挿入腔、及び該カテーテル挿入腔と該ガイドワイヤ挿入腔とを連結する連結腔が第１方向に延びて形成されたガイドワイヤ導入補助具であって、
第１カテーテル挿入溝、第１ガイドワイヤ挿入溝及び第１連結溝が形成された第１本体部と、
第２カテーテル挿入溝、第２ガイドワイヤ挿入溝及び第２連結溝が形成された第２本体部と、
前記第１本体部における前記第１方向に沿う一方の側部と前記第２本体部における前記第１方向に沿う一方の側部とを該第１方向に延びる軸を回動軸として開閉可能に連結する連結部と、
前記第１本体部の前記第１方向の一端側における他方の側部から延出する第１操作部と、
前記第２本体部の前記第１方向の他端側における他方の側部から延出する第２操作部と、を有し、
前記カテーテル挿入腔、前記ガイドワイヤ挿入腔、及び前記連結腔は、それぞれ、前記第１本体部と前記第２本体部とが閉じた状態において、前記第１カテーテル挿入溝及び前記第２カテーテル挿入溝、前記第１ガイドワイヤ挿入溝及び前記第２ガイドワイヤ挿入溝、並びに前記第１連結溝及び前記第２連結溝により形成されるガイドワイヤ導入補助具。
【請求項２】
前記連結部は、前記第１本体部と前記第２本体部とが１８０度以上開いた状態を維持可能に該第１本体部と該第２本体部とを連結する請求項１に記載のガイドワイヤ導入補助具。
【請求項３】
前記第１本体部と前記第２本体部とが閉じた状態を保持するロック機構を更に備える請求項１又は２に記載のガイドワイヤ導入補助具。
【請求項４】
前記ロック機構は、前記第１操作部及び前記第２操作部からそれぞれ突出する係止爪により構成される請求項３に記載のガイドワイヤ導入補助具。
【請求項５】
前記第１操作部及び前記第２操作部は、板状に形成され、
前記第１操作部の表面には、凹凸部が形成される請求項１〜４のいずれかに記載のガイドワイヤ導入補助具。
【請求項６】
前記カテーテル挿入腔は、前記第１方向における第１操作部が配置された側に配置され、
前記ガイドワイヤ挿入腔は、前記第１方向における第２操作部が配置された側に配置される請求項５に記載のガイドワイヤ導入補助具。
【請求項７】
前記カテーテル挿入腔は、前記連結腔側に配置され該連結腔側に向かって徐々に縮径するカテーテル側縮径部を有し、
前記ガイドワイヤ挿入腔は、前記連結腔側に向かって徐々に縮径するガイドワイヤ側縮径部を有し、
前記連結腔は、前記ガイドワイヤの外径よりも大きく、かつ、前記カテーテルの先端部の外径よりも小さい径の円筒状に形成される請求項１〜６のいずれかに記載のガイドワイヤ導入補助具。
【請求項８】
前記カテーテル側縮径部における前記連結腔側の端部の径は、前記連結腔の径よりもわずかに大きく構成される請求項７に記載のガイドワイヤ導入補助具。
【請求項９】
透明性を有する部材により構成される請求項１〜８のいずれかに記載のガイドワイヤ導入補助具。
【発明の詳細な説明】
【技術分野】
【０００１】
本発明は、一方の端部が体内に挿入されたガイドワイヤの他方の端部をカテーテルの内腔に導入する場合等に用いられるガイドワイヤ導入補助具に関する。
【背景技術】
【０００２】
従来、経皮的血管拡張術等において、ガイドワイヤを血管の内部に留置したままカテーテルを交換する場合には、まず、血管の内部に挿入したカテーテルを抜き取った後、一方の端部が体内に挿入され他方の端部が体外に突出したガイドワイヤの他方の端部を、新たなカテーテルの内腔に導入し、ガイドワイヤに沿ってこの新たなカテーテルを血管の内部に挿入していく。
【０００３】
ここで、ガイドワイヤは、細径（例えば、直径０．３ｍｍ〜０．４ｍｍ）であり、また、このガイドワイヤが導入されるカテーテルの内腔も細径（例えば、直径０．５ｍｍ程度）であるため、カテーテルの内腔にガイドワイヤを導入することは困難な作業となっている。
そこで、カテーテルが挿入されるカテーテル挿入腔、ガイドワイヤが挿入されるガイドワイヤ挿入腔、及びこれらカテーテル挿入腔とガイドワイヤ挿入腔とを連結する連結腔を備えるガイドワイヤ導入補助具が提案されている（例えば、特許文献１参照）。
【先行技術文献】
【特許文献】
【０００４】
【特許文献１】特開２０００−０８４０８９号公報
【発明の概要】
【発明が解決しようとする課題】
【０００５】
特許文献１で提案されたようなガイドワイヤ導入補助具によれば、カテーテル挿入腔にカテーテルの先端部を挿入した後、ガイドワイヤの他方の端部をガイドワイヤ挿入腔に挿入することで、ガイドワイヤの他方の端部を、連結腔を介してカテーテル挿入腔まで挿入できる。これにより、カテーテル挿入腔に挿入されたカテーテルの内腔にガイドワイヤの他方の端部を容易に導入できる。また、ガイドワイヤをカテーテルの内腔に導入した後は、ガイドワイヤ導入補助具を分割することで、ガイドワイヤ導入補助具をカテーテルから取り外せる。
【０００６】
ところで、ガイドワイヤをカテーテルの内腔に導入する作業は、体内から突出したガイドワイヤの他方の端部を一方の手で支えながら行うため、ガイドワイヤ導入補助具は片手で操作することが求められる。しかしながら、特許文献１で提案されたガイドワイヤ導入補助具は、ガイドワイヤ導入補助具を分割した状態を維持させにくく、ガイドワイヤを導入したカテーテルからガイドワイヤ導入補助具を取り外しにくい場合があった。
【０００７】
従って、本発明は、より操作性を向上させられるガイドワイヤ導入補助具を提供することを目的とする。
【課題を解決するための手段】
【０００８】
本発明は、カテーテルが挿入されるカテーテル挿入腔、ガイドワイヤが挿入されるガイドワイヤ挿入腔、及び該カテーテル挿入腔と該ガイドワイヤ挿入腔とを連結する連結腔が第１方向に延びて形成されたガイドワイヤ導入補助具であって、第１カテーテル挿入溝、第１ガイドワイヤ挿入溝及び第１連結溝が形成された第１本体部と、第２カテーテル挿入溝、第２ガイドワイヤ挿入溝及び第２連結溝が形成された第２本体部と、前記第１本体部における前記第１方向に沿う一方の側部と前記第２本体部における前記第１方向に沿う一方の側部とを該第１方向に延びる軸を回動軸として開閉可能に連結する連結部と、前記第１本体部の前記第１方向の一端側における他方の側部から延出する第１操作部と、前記第２本体部の前記第１方向の他端側における他方の側部から延出する第２操作部と、を有し、前記カテーテル挿入腔、前記ガイドワイヤ挿入腔、及び前記連結腔は、それぞれ、前記第１本体部と前記第２本体部とが閉じた状態において、前記第１カテーテル挿入溝及び前記第２カテーテル挿入溝、前記第１ガイドワイヤ挿入溝及び前記第２ガイドワイヤ挿入溝、並びに前記第１連結溝及び前記第２連結溝により形成されるガイドワイヤ導入補助具に関する。
【０００９】
また、前記連結部は、前記第１本体部と前記第２本体部とが１８０度以上開いた状態を維持可能に該第１本体部と該第２本体部とを連結することが好ましい。
【００１０】
また、ガイドワイヤ導入補助具は、前記第１本体部と前記第２本体部とが閉じた状態を保持するロック機構を更に備えることが好ましい。
【００１１】
また、前記ロック機構は、前記第１操作部及び前記第２操作部からそれぞれ突出する係止爪により構成されることが好ましい。
【００１２】
また、前記第１操作部及び前記第２操作部は、板状に形成され、前記第１操作部の表面には、凹凸部が形成されることが好ましい。
【００１３】
また、前記カテーテル挿入腔は、前記第１方向における第１操作部が配置された側に配置され、前記ガイドワイヤ挿入腔は、前記第１方向における第２操作部が配置された側に配置されることが好ましい。
【００１４】
また、前記カテーテル挿入腔は、前記連結腔側に配置され該連結腔側に向かって徐々に縮径するカテーテル側縮径部を有し、前記ガイドワイヤ挿入腔は、前記連結腔側に向かって徐々に縮径するガイドワイヤ側縮径部を有し、前記連結腔は、前記ガイドワイヤの外径よりも大きく、かつ、前記カテーテルの先端部の外径よりも小さい径の円筒状に形成されることが好ましい。
【００１５】
また、前記カテーテル側縮径部における前記連結腔側の端部の径は、前記連結腔の径よりもわずかに大きく構成されることが好ましい。
【００１６】
また、ガイドワイヤ導入補助具は、透明性を有する部材により構成されることが好ましい。
【発明の効果】
【００１７】
本発明によれば、操作性をより向上させられるガイドワイヤ導入補助具を提供できる。
【図面の簡単な説明】
【００１８】
【図１】本発明の一実施形態に係るガイドワイヤ導入補助具を示す斜視図である。
【図２】図１に示すガイドワイヤ導入補助具を示す平面図である。
【図３】ガイドワイヤ導入補助具を開いた状態を示す図であり、第１部材及び第２部材の内面側から視た図である。
【図４】ガイドワイヤ導入補助具を開いた状態を示す図であり、第１部材及び第２部材の外面側から視た図である。
【図５】図２のＡ−Ａ線断面図である。
【図６】図５の部分拡大図である。
【図７】図２に示すガイドワイヤ導入補助具の右側面図である。
【図８】図２に示すガイドワイヤ導入補助具の左側面図である。
【図９】ガイドワイヤ導入補助具を開いた状態で保持している状態を示す斜視図である。
【図１０】図９を矢印Ｂ方向に視た図である。
【図１１】ガイドワイヤ導入補助具の使用状態を示す図であり、カテーテル挿入腔にカテーテルの先端部を挿入した状態を示す図である。
【図１２】ガイドワイヤ導入補助具の使用状態を示す図であり、ガイドワイヤ挿入腔にガイドワイヤの端部を挿入している状態を示す図である。
【図１３】ガイドワイヤ導入補助具の使用状態を示す図であり、図１２に示す状態から更にガイドワイヤを挿入した状態を示す図である。
【図１４】本発明のガイドワイヤ導入補助具の変形例を示す図である。
【発明を実施するための形態】
【００１９】
以下、本発明のガイドワイヤ導入補助具の好ましい各実施形態について、図面を参照しながら説明する。
本発明のガイドワイヤ導入補助具１は、経皮的血管拡張術等において、ガイドワイヤを血管の内部に留置したままカテーテルを交換する場合に用いられる。
血管の内部に挿入されるカテーテルは、例えば、外径０．４ｍｍ〜１．２ｍｍの柔軟性を有する中空の管状部材により構成される。カテーテルの中空部分である内腔は、例えば、直径０．３ｍｍ〜１．０ｍｍに構成される。ガイドワイヤは、例えば、直径０．３ｍｍ〜０．５ｍｍの弾性を有する合金により構成され、体内（血管の内部）にカテーテルを挿入する場合にカテーテルの内腔に導入され、カテーテルと共に体内に挿入される。
【００２０】
ガイドワイヤ導入補助具１は、図１及び図２に示すように、カテーテル挿入腔１０と、ガイドワイヤ挿入腔２０と、これらカテーテル挿入腔１０及びガイドワイヤ挿入腔２０を連結する連結腔３０と、を備える。これらカテーテル挿入腔１０、ガイドワイヤ挿入腔２０及び連結腔３０は、第１方向ＬＤに延びて形成される。
【００２１】
本実施形態では、図３及び図４に示すように、ガイドワイヤ導入補助具１は、第１部材４０及び第２部材５０の２つの部材が第１方向ＬＤを回動軸として回動可能に連結されて構成される。
第１部材４０は、第１本体部４１と、一対の第１連結部４２１，４２２と、第１操作部４３と、係止爪としての第１係止爪４４と、を備える。
【００２２】
第１本体部４１は、第１方向ＬＤに長い矩形の板状に形成される（以下、第１方向ＬＤを長手方向ＬＤともいう）。図５に示すように、第１本体部４１の一の面である内面４１ａには、いずれも長手方向ＬＤに延びる第１カテーテル挿入溝４１１、第１ガイドワイヤ挿入溝４１２及び第１連結溝４１３が形成される。
【００２３】
第１カテーテル挿入溝４１１は、第１本体部４１の長手方向ＬＤの一端側に配置される。第１カテーテル挿入溝４１１は、第１本体部４１の長手方向ＬＤの一端側から他端側に向かって徐々に縮径した第１縮径溝部４１１ａと、この第１縮径溝部４１１ａに連続して形成され等しい径で延びる等径溝部４１１ｂと、この等径溝部４１１ｂに連続して形成され他端側に向かって徐々に縮径した第２縮径溝部４１１ｃと、を備える。
【００２４】
第１ガイドワイヤ挿入溝４１２は、第１本体部４１の長手方向ＬＤの他端側に配置される。第１ガイドワイヤ挿入溝４１２は、第１本体部４１の長手方向ＬＤの他端側から一端側に向かって徐々に縮径した形状に形成される。
第１連結溝４１３は、第１カテーテル挿入溝４１１と第１ガイドワイヤ挿入溝４１２とを連結する。第１連結溝４１３は、等しい径で長手方向ＬＤに延びる。
【００２５】
以上の第１カテーテル挿入溝４１１、第１ガイドワイヤ挿入溝４１２及び第１連結溝４１３は、いずれも長手方向ＬＤに直交する幅方向ＷＤの断面が半円形状に形成される（図５及び図６参照）。また、第１カテーテル挿入溝４１１、第１ガイドワイヤ挿入溝４１２及び第１連結溝４１３それぞれの断面における半円形状の中心軸は、一致している。
【００２６】
一対の第１連結部４２１，４２２は、第１本体部４１の長手方向ＬＤに沿う一方の側部に配置される。一方の第１連結部４２１は、第１本体部４１の長手方向ＬＤの一端側に配置され、他方の第１連結部４２２は、第１本体部４１の長手方向ＬＤの他端側に配置される。
本実施形態では、一方の第１連結部４２１は、第１本体部４１の側部から幅方向ＷＤに延出すると共に、幅方向ＷＤの断面がＣ字状に形成される。他方の第１連結部４２２は、第１本体部４１の側部から離間した位置で長手方向ＬＤに延びる軸部４２２ａと、この軸部４２２ａの両端部と第１本体部４１とを連結する一対の軸支持部４２２ｂと、を備えた形状に形成される。
以上の一対の第１連結部４２１，４２２は、後述の一対の第２連結部５２１，５２２と共に、第１部材４０と第２部材５０とを連結する連結部６０を構成する。
【００２７】
第１操作部４３は、第１本体部４１の長手方向ＬＤの一端側（第１カテーテル挿入溝４１１側）における他方の側部（第１連結部４２１が配置された側と反対側の側部）から延出する。第１操作部４３は、図１〜図３に示すように、略矩形の板状に形成される。第１操作部４３の表面（第１本体部４１の内面４１ａと同じ側の面）には、凹凸部４３１が形成される。本実施形態では、凹凸部４３１は、第１操作部４３の表面に格子状の凸部が形成されることにより構成される。
【００２８】
第１係止爪４４は、第１操作部４３における長手方向ＬＤの他端側（第１ガイドワイヤ挿入溝４１２が配置された側）に位置する側縁から突出する。この第１係止爪４４は、後述の第２係止爪５４と共に、第１部材４０と第２部材５０とが閉じた状態を保持するロック機構７０を構成する。
【００２９】
第２部材５０は、第２本体部５１と、一対の第２連結部５２１，５２２と、第２操作部５３と、第２係止爪５４と、を備える。
【００３０】
第２本体部５１は、第１方向ＬＤに長い矩形の板状に形成される。第２本体部５１の内面５１ａには、いずれも長手方向ＬＤに延びる第２カテーテル挿入溝５１１、第２ガイドワイヤ挿入溝５１２及び第２連結溝５１３が形成される。
【００３１】
第２カテーテル挿入溝５１１は、第２本体部５１の長手方向ＬＤの一端側に配置される。第２カテーテル挿入溝５１１は、第２本体部５１の長手方向ＬＤの一端側から他端側に向かって徐々に縮径した第１縮径溝部５１１ａと、この第１縮径溝部５１１ａに連続して形成され等しい径で延びる等径溝部５１１ｂと、この等径溝部５１１ｂに連続して形成され他端側に向かって徐々に縮径した第２縮径溝部５１１ｃと、を備える。
【００３２】
第２ガイドワイヤ挿入溝５１２は、第２本体部５１の長手方向ＬＤの他端側に配置される。第２ガイドワイヤ挿入溝５１２は、第２本体部５１の長手方向ＬＤの他端側から一端側に向かって徐々に縮径した形状に形成される。
第２連結溝５１３は、第２カテーテル挿入溝５１１と第２ガイドワイヤ挿入溝５１２とを連結する。第２連結溝５１３は、等しい径で長手方向ＬＤに延びる。
【００３３】
以上の第２カテーテル挿入溝５１１、第２ガイドワイヤ挿入溝５１２及び第２連結溝５１３は、いずれも幅方向ＷＤの断面が半円形状に形成される（図５及び図６参照）。また、第２カテーテル挿入溝５１１、第２ガイドワイヤ挿入溝５１２及び第２連結溝５１３それぞれの断面における半円形状の中心軸は、一致している。
【００３４】
図２及び図４に示すように、第２本体部５１の外面における第２カテーテル挿入溝５１１が配置された側には、カテーテルを挿入する側であることを示すカテーテル表示ＣＴが付される。また、第２本体部５１の外面における第２ガイドワイヤ挿入溝５１２が配置された側には、ガイドワイヤを挿入する側であることを示すガイドワイヤ表示ＧＷが付される。
【００３５】
一対の第２連結部５２１，５２２は、第２本体部５１の長手方向ＬＤに沿う一方の側部に配置される。一方の第２連結部５２１は、第２本体部５１の長手方向ＬＤの一端側（第２カテーテル挿入溝５１１が配置された側）に配置され、他方の第２連結部５２２は、第２本体部５１の長手方向ＬＤの他端側（第２ガイドワイヤ挿入溝５１２が配置された側）に配置される。
本実施形態では、一方の第２連結部５２１は、第２本体部５１の側部から離間した位置で長手方向ＬＤに延びる軸部５２１ａと、この軸部５２１ａの両端部と第２本体部５１とを連結する一対の軸支持部５２１ｂと、を備えた形状に形成される。他方の第２連結部５２２は、第２本体部５１の側部から幅方向ＷＤに延出すると共に、幅方向ＷＤの断面がＣ字状に形成される。
【００３６】
第２操作部５３は、第２本体部５１の長手方向ＬＤの他端側（第２ガイドワイヤ挿入溝５１２側）における他方の側部から延出する。第２操作部５３は、図１〜図３に示すように、略矩形の板状に形成される。第２操作部５３には、矩形の開口部５３１が形成されると共に、この開口部５３１の一対の縁部から第２本体部５１の外面（内面５１ａと反対側の面）側に延出する一対の延出板部５３２が配置される。一対の延出板部５３２は、非使用時のガイドワイヤ導入補助具１をチューブ等の他の部材に固定する場合の固定部として機能する。
【００３７】
第２係止爪５４は、第２操作部５３における長手方向ＬＤの一端側（第２カテーテル挿入溝５１１が配置された側）に位置する側縁から突出する。この第２係止爪５４は、第１係止爪４４と共に、第１部材４０と第２部材５０とが閉じた状態を保持するロック機構７０を構成する。
【００３８】
以上の第１部材４０及び第２部材５０は、ポリアミド、ポリエチレン、ポリプロピレン等の透明性を有する合成樹脂材料により構成される。
第１部材４０と第２部材５０とは、一方の第１連結部４２１と一方の第２連結部５２１とを連結し、他方の第１連結部４２２と他方の第２連結部５２２とを連結することにより、長手方向ＬＤに延びる軸部４２２ａ，５２１ａを回動軸として開閉可能に連結される。言い換えれば、第１連結部４２１，４２２と第２連結部５２１，５２２とにより構成される連結部６０は、第１本体部４１の一方の側部と第２本体部５１の一方の側部とを開閉可能に連結している。
【００３９】
より詳細には、一方の第１連結部４２１と一方の第２連結部５２１とは、第１連結部４２１のＣ字状の凹み部分に第２連結部５２１の軸部５２１ａをはめ込むことで連結される。また、他方の第１連結部４２２と他方の第２連結部５２２とは、第１連結部４２２の軸部４２２ａを第２連結部５２２のＣ字状の凹み部分にはめ込むことで連結される。
【００４０】
これにより、第１部材４０と第２部材５０とは、これら第１部材４０と第２部材５０とが閉じた状態（図７及び図８参照）と開いた状態（図９及び図１０参照）との間で開閉可能に連結される。また、第１部材４０（第１本体部４１）と第２部材５０（第２本体部５１）とは、図１０に示すように、１８０度以上（本実施形態では、２７０度以上）開いた状態で保持可能となっている。より詳細には、本実施形態では、第１部材４０（第１本体部４１）と第２部材５０（第２本体部５１）とは、第１本体部４１の外面と第２本体部５１の外面とが接触する角度で開いた状態が保持される。
【００４１】
また、第１部材４０（第１本体部４１）と第２部材５０（第２本体部５１）とが閉じられた状態では、第１係止爪４４と第２係止爪５４とが係合することで、これら第１部材４０と第２部材５０とが閉じられた状態が保持される。このように、第１係止爪４４及び第２係止爪５４は、第１本体部４１と第２本体部５１とが閉じた状態を保持するロック機構として機能する。
【００４２】
以上のガイドワイヤ導入補助具１においては、第１部材４０（第１本体部４１）と第２部材５０（第２本体部５１）とを閉じた状態において、第１カテーテル挿入溝４１１及び第２カテーテル挿入溝５１１によりカテーテル挿入腔１０が形成され、第１ガイドワイヤ挿入溝４１２及び第２ガイドワイヤ挿入溝５１２によりガイドワイヤ挿入腔２０が形成され、第１連結溝４１３及び第２連結溝５１３により連結腔３０が形成される。
【００４３】
上述のように、第１カテーテル挿入溝４１１、第２カテーテル挿入溝５１１、第１ガイドワイヤ挿入溝４１２、第２ガイドワイヤ挿入溝５１２、第１連結溝４１３、及び第２連結溝５１３の幅方向ＷＤの断面は、いずれも半円形状に形成されているため、カテーテル挿入腔１０、ガイドワイヤ挿入腔２０及び連結腔３０それぞれの幅方向ＷＤの断面は、いずれも円形に形成される。また、カテーテル挿入腔１０、ガイドワイヤ挿入腔２０及び連結腔３０の中心軸は一致する。
【００４４】
本実施形態では、カテーテル挿入腔１０は、第１縮径溝部４１１ａ，５１１ａにより形成される第１カテーテル側縮径部１０ａと、等径溝部４１１ｂ，５１１ｂにより形成されるカテーテル側等径部１０ｂと、第２縮径溝部４１１ｃ，５１１ｃにより形成されるカテーテル側縮径部としての第２カテーテル側縮径部１０ｃと、を備える。
また、ガイドワイヤ挿入腔２０は、連結腔３０側に向かって徐々に縮径したガイドワイヤ側縮径部を有する。
【００４５】
そして、連結腔３０は、ガイドワイヤ挿入腔２０に挿入されるガイドワイヤの外径よりも大きく、かつ、カテーテル挿入腔１０に挿入されるカテーテルの先端部の外径よりも小さい径の円筒状に形成される。例えば、連結腔３０の直径は、０．３ｍｍ〜１．０ｍｍに構成される。
【００４６】
次に、本実施形態のガイドワイヤ導入補助具１の使い方の一例につき、図１１〜図１３を参照しながら説明する。
ガイドワイヤ導入補助具１を使用する場合、まず、図１１に示すように、第１部材４０（第１本体部４１）と第２部材５０（第２本体部５１）とを閉じ、この状態でカテーテル挿入腔１０にカテーテルＣＴの先端部を挿入する。ここで、連結腔３０の径は、カテーテルの先端部の径よりも小さく形成されているため、カテーテルＣＴの先端部は、カテーテル挿入腔１０と連結腔３０との境界部分に位置決めされる。また、カテーテル挿入腔１０は、入口側がカテーテルＣＴの径よりも大きく連結腔３０側に向かって縮径した第１カテーテル側縮径部１０ａと、カテーテルの外径よりもわずかに大きな径を有するカテーテル側等径部１０ｂと、連結腔３０側に向かって縮径する第２カテーテル側縮径部１０ｃと、を備える。これにより、カテーテルＣＴをカテーテル挿入腔１０に容易に挿入できる。また、カテーテル側等径部１０ｂ及び第２カテーテル側縮径部１０ｃにより、カテーテル挿入腔１０の内部でカテーテルＣＴの位置を安定的に保てる。
【００４７】
次いで、図１２に示すように、カテーテルＣＴの先端部が挿入されたガイドワイヤ導入補助具１の第１操作部４３を他方の手の２本の指（例えば、親指と人差し指）で把持してガイドワイヤ導入補助具１をガイドワイヤＧＷ側に移動させることで、体内から突出したガイドワイヤＧＷの他方の端部をガイドワイヤ挿入腔２０に挿入していく。
【００４８】
次いで、ガイドワイヤ導入補助具１を更にガイドワイヤＧＷ側に移動させると、図１３に示すように、ガイドワイヤＧＷの他方の端部は、連結腔３０を通ってカテーテル挿入腔１０側に到達し、カテーテルＣＴの内腔に導入される。
【００４９】
ガイドワイヤＧＷがカテーテルＣＴの内腔に導入された後は、第１操作部４３を２本の指（例えば、親指と人差し指）で把持した状態で、他の指（例えば、中指）で第２操作部５３を弾くようにすることで、容易に片手で第１本体部４１と第２本体部５１とを開いた状態にできる（図１及び図９参照）。これにより、カテーテルの内腔にガイドワイヤＧＷを導入した後のガイドワイヤ導入補助具１の取り外しをスムーズに行える。
【００５０】
以上説明した本実施形態のガイドワイヤ導入補助具１によれば、以下のような効果を奏する。
【００５１】
（１）ガイドワイヤ導入補助具１を、第１カテーテル挿入溝４１１、第１ガイドワイヤ挿入溝４１２及び第１連結溝４１３が形成された第１本体部４１と、第２カテーテル挿入溝５１１、第２ガイドワイヤ挿入溝５１２及び第２連結溝５１３が形成された第２本体部５１と、第１本体部４１の一方の側部と第２本体部５１の一方の側部とを開閉可能に連結する連結部６０と、第１本体部４１の他方の側部から延出する第１操作部４３と、第２本体部５１の他方の側部から延出する第２操作部５３と、を含んで構成した。そして、カテーテル挿入腔１０、ガイドワイヤ挿入腔２０、及び連結腔３０を、それぞれ、第１本体部４１と第２本体部５１とが閉じた状態において、第１カテーテル挿入溝４１１及び第２カテーテル挿入溝５１１、第１ガイドワイヤ挿入溝４１２及び第２ガイドワイヤ挿入溝５１２、並びに第１連結溝４１３及び第２連結溝５１３により形成し、更に、連結部６０を、第１本体部４１と第２本体部５１とが１８０度以上開いた状態を維持可能に連結した。これにより、第１本体部４１と第２本体部５１とを閉じた状態において、カテーテル挿入腔１０にカテーテルの先端部を挿入した後、ガイドワイヤ挿入腔２０にガイドワイヤを挿入することで、ガイドワイヤを、連結腔３０を介してカテーテルの内腔に好適に導入できる。また、第１操作部４３及び第２操作部５３を連結部と反対側の側部に配置した。これにより、カテーテルの内腔にガイドワイヤを導入した後には、例えば、一方の手の２本の指（例えば、親指と人差し指）で第１操作部４３を把持した状態で、他の指（例えば、中指）で第２操作部５３を弾くようにすることで、容易に片手で第１本体部４１と第２本体部５１とを開いた状態にできる。よって、ガイドワイヤ導入補助具１の操作性を向上させられる。
【００５２】
（２）連結部６０を第１本体部４１と第２本体部５１とが１８０度以上開いた状態を維持可能に連結したので、カテーテルの内腔にガイドワイヤを導入した後のガイドワイヤ導入補助具１の取り外しをスムーズに行える。よって、ガイドワイヤ導入補助具１の操作性をより向上させられる。
【００５３】
（３）ガイドワイヤ導入補助具１を、ロック機構７０を含んで構成した。これにより、第１本体部４１と第２本体部４２とが閉じた状態を好適に保持できるので、ガイドワイヤ導入補助具１の使用時に第１本体部４１と第２本体部４２とが開いてしまうことを防げる。よって、ガイドワイヤ導入補助具１の操作性を更に向上させられる。
【００５４】
（４）ロック機構７０を、第１操作部４３及び第２操作部５３からそれぞれ突出する第１係止爪４４及び第２係止爪５４により構成した。これにより、第１操作部４３を把持した状態で第２操作部５３を指で弾く等して容易にロック状態を解除できるので、ガイドワイヤ導入補助具１の操作性をより向上させられる。また、第１係止爪４４及び第２係止爪５４の係合及び非係合によりロック及びアンロックを変更できるので、ガイドワイヤ導入補助具１を繰り返し使用できる。
【００５５】
（５）第１操作部４３及び第２操作部５３を板状に構成し、第１操作部４３の表面に凹凸部４３１を形成した。これにより、ガイドワイヤ導入補助具１の使用時に、第１操作部４３を２本の指（例えば、親指と人差し指）で把持しやすくできると共に、第１操作部４３を把持した状態で他の指（例えば、中指）で第２操作部５３を弾くようにして閉じた状態のガイドワイヤ導入補助具１を容易に開くことができる。よって、ガイドワイヤ導入補助具１の操作性を更に向上させられる。
【００５６】
（６）ガイドワイヤ導入補助具１を使用する場合には、カテーテル挿入腔１０にカテーテルの先端を挿入した後、カテーテルを挿入した状態のガイドワイヤ導入補助具１を把持して、対象者（患者）の身体から突出するガイドワイヤの端部をガイドワイヤ挿入腔２０に挿入する。そこで、カテーテル挿入腔１０を第１方向ＬＤ（ガイドワイヤ導入補助具１の長手方向）における第１操作部４３側に配置し、ガイドワイヤ挿入腔２０を第１方向ＬＤにおける第２操作部５３側に配置した。これにより、カテーテル挿入腔１０にカテーテルを挿入したガイドワイヤ導入補助具１を片手で把持しつつ、もう一方の手でガイドワイヤを支えながらガイドワイヤ挿入腔２０にガイドワイヤを挿入する動作をスムーズに行える。
【００５７】
（７）カテーテル挿入腔１０を、第２カテーテル側縮径部１０ｃを含んで構成し、ガイドワイヤ挿入腔２０を、ガイドワイヤ側縮径部を含んで構成した。そして、連結腔３０を、ガイドワイヤの外径よりも大きく、かつ、カテーテルの先端部の外径よりも小さい径の円筒状に形成した。これにより、カテーテルの先端部をカテーテル挿入腔１０に容易に挿入でき、また、カテーテルの先端部を連結腔３０に侵入させることなくカテーテル挿入腔１０の先端部に位置させられる。よって、カテーテルの内腔の位置と連結腔の位置とを一致させられるので、ガイドワイヤ挿入腔２０に挿入したガイドワイヤを、連結腔３０を介してカテーテルの内腔に好適に導入できる。
【００５８】
（８）ガイドワイヤ導入補助具１を、透明性を有する部材により構成した。これにより、ガイドワイヤのカテーテルへの挿入状態を確認しながらガイドワイヤ導入補助具１を使用できる。
【００５９】
以上本発明のガイドワイヤ導入補助具の好ましい一実施形態につき説明したが、本発明は、上述した実施形態に制限されるものではなく、適宜変更が可能である。
例えば、本実施形態では、第２カテーテル側縮径部１０ｃにおける連結腔３０側の端部の径と連結腔３０の径とを同径に構成したが、これに限らない。即ち、図１４に示すように、第２カテーテル側縮径部１０ｃにおける連結腔３０側の端部の径Ｄ１を、連結腔３０の径Ｄ２よりもわずかに大きく構成してもよい。これにより、カテーテル挿入腔１０の連結腔３０側の端部と連結腔３０との間に段差を形成でき、この段差部分にカテーテルの先端部における内腔の入口の外周部分を当接させられる。よって、カテーテルの内腔の位置と連結腔３０の位置とをより一致させられるので、ガイドワイヤ挿入腔２０に挿入したガイドワイヤをカテーテルの内腔により好適に導入できる。
【００６０】
また、本実施形態では、ロック機構７０を、第１係止爪及び第２係止爪により構成したが、これに限らない。即ち、ロック機構を他の部材により構成してもよい。
【符号の説明】
【００６１】
１  ガイドワイヤ導入補助具
１０  カテーテル挿入腔
１０ｃ  第２カテーテル側縮径部（カテーテル側縮径部）
２０  ガイドワイヤ挿入腔
３０  連結腔
４０  第１部材
４１  第１本体部
４３  第１操作部
４４  第１係止爪（係止爪）
５０  第２部材
５１  第２本体部
５３  第２操作部
５４  第２係止爪（係止爪）
６０  連結部
７０  ロック機構
４１１  第１カテーテル挿入溝
４１２  第１ガイドワイヤ挿入溝
４１３  第１連結溝
４３１  凹凸部
５１１  第２カテーテル挿入溝
５１２  第２ガイドワイヤ挿入溝
５１３  第２連結溝
【図１】
2016106813.tif 000003
【図２】
2016106813.tif 000004
【図３】
2016106813.tif 000005
【図４】
2016106813.tif 000006
【図５】
2016106813.tif 000007
【図６】
2016106813.tif 000008
【図７】
2016106813.tif 000009
【図８】
2016106813.tif 000010
【図９】
2016106813.tif 000011
【図１０】
2016106813.tif 000012
【図１１】
2016106813.tif 000013
【図１２】
2016106813.tif 000014
【図１３】
2016106813.tif 000015
【図１４】
2016106813.tif 000016